(57)【要約】【課題】壁パネルの上端面と天井パネルの下面との間を小さくして外観を向上する。【解決手段】壁パネル１の上端面から立ち上げた立上片５の室外側の面に天井パネル２から垂下した垂下片９を沿わせる。立上片５に形成した差込孔６と垂下片９に形成した連通孔１０とを連通させる。壁パネル１の上端面と天井パネル２の下面との間に差込孔６に連通する連結具通過用隙間１６を形成する。断面クランク状の連結具１１を備える。連結具１１の接続部１３を立上片５の差込孔６及び垂下片９の連通孔１０に挿通する。接続部１３から突出した室内側係合部１４を差込孔６よりも上方の立上片５の室内側の面に沿わせる。接続部から突出した室外側係合部１５を連通孔１０よりも下方の垂下片９の室内側の面に沿わせる。室内側係合部１４の室内側を覆うように連結具通過用隙間１６に目地材１８を配設する。【選択図】        図１
2007224618.tif 000002
【特許請求の範囲】
【請求項１】
壁パネルの上端面から立上片を立ち上げると共に、天井パネルの下面の室外側端部から垂下片を垂下し、立上片の室外側の面に垂下片を沿わせて、立上片に形成した差込孔と垂下片に形成した連通孔とを連通させると共に、立上片よりも室内側で壁パネルの上端面と天井パネルの下面との間に差込孔に連通する連結具通過用隙間を形成し、接続部の一端部から垂直に室内側係合部を突出すると共に他端部から室内側係合部とは反対側に向けて室外側係合部を突出した断面クランク状の連結具を備え、該連結具の接続部を立上片の差込孔及び垂下片の連通孔に挿通すると共に、室内側係合部を差込孔よりも上方の立上片の室内側の面に沿わせ且つ室外側係合部を連通孔よりも下方の垂下片の室内側の面に沿わせ、連結具の室内側係合部の室内側を覆うように連結具通過用隙間に目地材を配設したことを特徴とするユニットバスルームの壁パネルと天井パネルの連結構造。
【請求項２】
上記室外側係合部の接続部からの突出長さを室内側係合部の接続部からの突出長さよりも長くし、該室外側係合部を垂下片の立上片と重複する部分と立上片よりも下方に突出した部分とに沿わせることを特徴とする請求項１に記載のユニットバスルームの壁パネルと天井パネルの連結構造。
【発明の詳細な説明】
【技術分野】
【０００１】
本発明はユニットバスルームの壁パネルと天井パネルの連結構造に関する。
【背景技術】
【０００２】
従来、ユニットバスルームの壁パネルと天井パネルの連結構造として、例えば図３に示すように、壁パネル１の上端面の室外側の端部から立上片５を立ち上げ、天井パネル２の下面の室外側端部から垂下片９を垂下し、立上片５と該立上片５の室外側に位置する垂下片９を複数のビス２１で固着し、立上片５の室内側で壁パネル１の上端面と天井パネル２の間に形成された隙間１６に天井廻り縁として乾式の目地材１８を打ち込んでいる。なお特許文献１には図３と略同様の連結構造が開示されている。
【０００３】
ところで上記図３に示す連結構造にあっては、立上片５と垂下片９をビス２１で固着するにあたって、壁パネル１の立上片５と天井パネル２の垂下片９に室内側からビス２１を挿通し、このビス２１を室内側からドライバーで操作するが、この場合天井パネル２の下面がビス２１に近い高さに位置していると、ドライバーやドライバーを操作する手が天井パネル２に当たって作業がし難いという問題がある。このため通常は立上片５及び垂下片９に挿通されるビス２１の高さ位置を低くしてドライバーや手が天井パネル２の下面に当たらないようにしているのだが、この場合は立上片５の室内側に形成される隙間１６の上下寸法、即ち壁パネル１の上端面と天井パネル２の下面までの寸法が長くなってしまい、目地材１８の幅が長くなって美観を損ねる。
【特許文献１】特開平６−１４６５６６号公報
【発明の開示】
【発明が解決しようとする課題】
【０００４】
本発明は上記従来の問題点に鑑みて発明したものであって、壁パネルの上端面と天井パネルの下面との間の隙間の上下寸法を小さくし、この隙間に挿入される目地材の幅を小さくできて外観を向上できるユニットバスルームの壁パネルと天井パネルの連結構造を提供することを課題とするものである。
【課題を解決するための手段】
【０００５】
上記課題を解決するために本発明に係るユニットバスルームの壁パネルと天井パネルの連結構造は、壁パネル１の上端面から立上片５を立ち上げると共に、天井パネル２の下面の室外側端部から垂下片９を垂下し、立上片５の室外側の面に垂下片９を沿わせて、立上片５に形成した差込孔６と垂下片９に形成した連通孔１０とを連通させると共に、立上片５よりも室内側で壁パネル１の上端面と天井パネル２の下面との間に差込孔６に連通する連結具通過用隙間１６を形成し、接続部１３の一端部から垂直に室内側係合部１４を突出すると共に他端部から室内側係合部１４とは反対側に向けて室外側係合部１５を突出した断面クランク状の連結具１１を備え、該連結具１１の接続部１３を立上片５の差込孔６及び垂下片９の連通孔１０に挿通すると共に、室内側係合部１４を差込孔６よりも上方の立上片５の室内側の面に沿わせ且つ室外側係合部１５を連通孔１０よりも下方の垂下片９の室内側の面に沿わせ、連結具１１の室内側係合部１４の室内側を覆うように連結具通過用隙間１６に目地材１８を配設したことを特徴とする。
【０００６】
上記構成により、断面クランク状の連結具１１を横にして室内側から連結具通過用隙間１６に挿入し、該連結具１１の室外側係合部１５の突端側を差込孔６及び連通孔１０に通して垂下片９の屋外側に位置させ、この連結具１１を回動して、連結具１１の接続部１３を立上片５の差込孔６及び垂下片９の連通孔１０に挿通すると共に、室内側係合部１４を差込孔６よりも上方の立上片５の室内側の面に沿わせ且つ室外側係合部１５を連通孔１０よりも下方の垂下片９の室内側の面に沿わせるだけで、立上片５と垂下片９を連結具１１で連結できる。この場合、壁パネル１の上端面と天井パネル２の下面との間の連結具通過用隙間１６の上下寸法を横にした断面クランク状の連結具１１が通過できる程度の小さい寸法とでき、連結具通過用隙間１６に挿入される目地材１８の幅を小さくできて外観を向上できる。
【０００７】
また上記室外側係合部１５の接続部１３からの突出長さを室内側係合部１４の接続部１３からの突出長さよりも長くし、該室外側係合部１５を垂下片９の立上片５と重複する部分と立上片５よりも下方に突出した部分とに沿わせることが好ましい。
【０００８】
このように室外側係合部１５の突出長さを長くすることで連結具１１の重心を室外側係合部１５の突端側に偏らせることができ、これにより連結具１１の室外側係合部１５を差込孔６及び連通孔１０を通して垂下片９の室外側に位置させた場合に、連結具１１をその自重を利用して回動し、自動的に室内側係合部１４を差込孔６よりも上方の立上片５の室内側の面に沿わせ且つ室外側係合部１５を連通孔１０よりも下方の垂下片９の室内側の面に沿わせることができる。従って連結作業が容易になる。またこのように突出長さを長くした室外側係合部１５は垂下片９の立上片５と重複する部分と立上片５よりも下方に突出した部分とに沿うので、連結具１１の室外側係合部１５と垂下片９の係合長さを長くできて強固な連結構造となる。
【発明の効果】
【０００９】
本発明では壁パネルの上端面と天井パネルの下面との間の隙間の上下寸法を小さい寸法とでき、この隙間に挿入される目地材の幅を小さくできて外観を向上できる。
【発明を実施するための最良の形態】
【００１０】
以下、本発明を添付図面に示す実施形態に基いて説明する。本実施例の連結構造が適用されるユニットバスルームは、床を構成する床パネル（図示せず）、壁を構成する複数の壁パネル１、天井を構成する天井パネル２を備えている。
【００１１】
図１に示すように壁パネル１は室内に面する表面部を鋼板からなる面板１ａで構成している。面板１ａの裏面（屋外側の面）には断熱材３を取付けてあり、面板１ａの上縁を屋外側に折り曲げて形成した上縁片４で断熱材３の上方は覆われている。上縁片４で構成した壁パネル１の上端面にはその屋外側の端部から上方に向けて立上片５を立ち上げている。立上片５は上縁片４の屋外側の端縁を上方に折り曲げて形成している。立上片５には厚み方向に貫通する差込孔６を壁パネル１の幅方向（平面視で壁パネル１の厚み方向に直交する方向）に複数穿設している。
【００１２】
一方、天井パネル２は室内に面する下面部を鋼板からなる面板２ａで構成してあり、面板２ａの裏面にも断熱材７を取付けている。面板２ａの室外側の端縁は下方に向けて折り曲げてあり、これにより天井パネル２の下面の室外側の端部には同部から垂下する垂下片９を形成している。垂下片９の下方への突出長さは立上片５の上方への突出長さよりも長い。従って図１のように立上片５の上端面に天井パネル２の下面を当接して載置した状態では垂下片９の下端が立上片５の下端よりも下方に突出し上縁片４の下面よりも下方に位置する。また垂下片９には立上片５と重複する上部で且つ立上片５の各差込孔６に対応する位置に垂下片９の厚み方向に貫通する連通孔１０を穿設している。
【００１３】
上記壁パネル１の立上片５と天井パネル２の垂下片９を連結する連結具１１は薄片状で且つ断面クランク状の部材からなり、例えば金属板を折り曲げて形成される。連結具１１は、接続部１３と、接続部１３の一端部から垂直に突出する室内側係合部１４と、接続部１３の他端部から垂直で且つ室内側係合部１４とは反対側に向けて突出する室外側係合部１５とで構成してあり、室内側係合部１４及び室外側係合部１５は接続部１３に一体に接続されている。室外側係合部１５の接続部１３からの下方への突出長さは室内側係合部１４の接続部１３からの上方への突出長さよりも長くしてあり、これにより連結具１１の重心を室外側係合部１５の突端側に偏らせている。また室内側係合部１４から該室内側係合部１４と平行な室外側係合部１５までの最短距離は立上片５の厚みと垂下片９の厚みを加えた寸法と同じかまたは若干長くしている。
【００１４】
上記連結具１１を用いて壁パネル１と天井パネル２を連結する場合、まず床パン上に立設した壁パネル１の上に天井パネル２を載置する。壁パネル１上に天井パネル２を載置するには、図２のように立上片５の上端面に天井パネル２の下面を載置すると共に、立上片５の室外側の面に天井パネル２の垂下片９の上部を沿わせ、同時に立上片５の各差込孔６と垂下片９の各連通孔１０を重複して連通させる。これにより立上片５の室内側で壁パネル１の上端面と天井パネル２の下面との間には、各差込孔６に連通する連結具通過用隙間１６が形成される。
【００１５】
ここで連結具通過用隙間１６の上下寸法は図１のように接続部１３を横にして連結具１１を縦にした状態の上下寸法よりも小さく、且つ図２のように接続部１３を縦にして連結具１１を横にした状態の上下寸法よりも長くしている。また図２のように横にした連結具１１の室外側係合部１５の突端側を垂下片９よりも室外側に十分に突出させ、該連結具１１の室外側係合部１５を差込孔６と連通孔１０とで構成された連結具挿通孔１７の下縁に支持した状態で、該支持された部分を支点として連結具１１を室外側係合部１５が垂下片９の室外側の面に沿う位置まで図２の矢印方向に回動した場合、連結具１１の室外側係合部１５と接続部１３とでなるコーナ部は連結具挿通孔１７の孔縁に干渉しないように連結具挿通孔１７の大きさを設定している。また図２のように横にした連結具１１の室外側係合部１５の突端側を垂下片９よりも室外側に十分に突出させた状態では、連結具１１の重心位置が垂下片９よりも屋外側に位置するように設定している。
【００１６】
そして上記壁パネル１上に天井パネル２を載置した状態で複数の連結具１１を用いて立上片５と垂下片９を連結する。この連結作業は、まず連結具１１を室外側係合部１５が室外側に向けて突出するように横にして、該連結具１１を手で室内側から連結具通過用隙間１６内に挿入し、これにより図２のように連結具１１の室外側係合部１５を差込孔６及び連通孔１０に通し、該室外側係合部１５の突端側の大部分を垂下片９よりも室外側に突出させて連結具１１の重心を垂下片９よりも室外側に位置させる。次に横にした連結具１１から手を離して、連結具１１をその自重により室外側係合部１５の連結具挿通孔１７の内底面に支持された部分を支点として図２の矢印に示す方向に自動的に回動させ、これにより図１のように連結具１１の接続部１３が立上片５の差込孔６及び垂下片９の連通孔１０に挿通し、室外側係合部１５が連通孔１０よりも下方の垂下片９の室外側の面に沿って係合し、且つ室内側係合部１４が差込孔６よりも上方の立上片５の室内側の面に沿って係合する。ここで室内側係合部１４の上端面は天井パネル２の下面に近接する。また室外側係合部１５はその下端が垂下片９の下端よりも下方に位置し、これにより室外側係合部１５は垂下片９の立上片５と重複する部分だけでなく立上片５よりも下方に突出した部分にも沿っている。
【００１７】
このように立上片５及び垂下片９を連結具１１で連結した状態では、立上片５に対して垂下片９が厚み方向に移動する方向に力が加わった場合に連結具１１の室内側係合部１４及び室外側係合部１５が立上片５及び垂下片９の夫々に当たり、また立上片５に対して垂下片９が上下方向や壁パネル１の幅方向に移動する方向に力が加わった場合に接続部１３が連結具挿通孔１７の内面に当たることとなり、これにより垂下片９及び立上片５は連結具１１により位置決めされた状態で連結されることとなる。
【００１８】
このように本発明の壁パネル１と天井パネル２の連結構造では、立上片５と垂下片９を連結する場合、断面クランク状の連結具１１を横にして室内側から連結具通過用隙間１６に挿入し、該連結具１１の室外側係合部１５の突端側を差込孔６及び連通孔１０に通して垂下片９の屋外側に位置させ、この連結具１１を回動して、連結具１１の接続部１３を立上片５の差込孔６及び垂下片９の連通孔１０に挿通すると共に、室内側係合部１４を差込孔６よりも上方の立上片５の室内側の面に沿わせ且つ室外側係合部１５を連通孔１０よりも下方の垂下片９の室内側の面に沿わせる。このため従来のビスにより立上片５と垂下片９を固着するもののように、ビスを操作する際の作業性を考慮して壁パネル１の上端面と天井パネル２の下面との間の隙間（即ち本願の連結具通過用隙間１６に相当する）の上下寸法を長くする必要がなく、以下に示す連結具通過用隙間１６に挿入される目地材１８の幅を小さくできる。
【００１９】
そして上記のように連結具１１で立上片５と垂下片９を連結した後、連結具１１の室内側係合部１４の室内側を覆うように連結具通過用隙間１６に長尺な乾式の目地材１８を打ち込む。目地材１８は合成樹脂等で形成され、板状部１９の上下面に複数の弾性を有するヒレ片２０を形成したものであり、上下の弾性ヒレ片２０を天井パネル２の下面及び壁パネル１の上端面の夫々に圧接した状態で連結具通過用隙間１６に圧入される。従ってこの目地材１８により連結具通過用隙間１６はシールされ、立上片５の差込孔６から室外に水が漏れ出すことが防止される。またこの目地材１８はその先端が前記立上片５の室内側の面に沿わせた室内側係合部１４の室内側の面に当接するか又は近傍に位置するまで連結具通過用隙間１６に挿入している。これにより室内側係合部１４が室内側に移動する方向に力が加わった場合には目地材１８の先端に当たってその移動が防止される。このため壁パネル１や天井パネル２に外力が加わったとしても、目地材１８により立上片５と垂下片９の連結部分ががたつくことが防止され、強固な連結構造となる。
【図面の簡単な説明】
【００２０】
【図１】本発明の実施の形態の一例の壁パネルと天井パネルの連結構造を示す側断面図である。
【図２】同上の連結具で天井パネルと壁パネルを連結する際の途中の段階を示す側断面図である。
【図３】従来の天井パネルと壁パネルの連結構造を示す側断面図である。
【符号の説明】
【００２１】
１  壁パネル
２  天井パネル
５  立上片
６  差込孔
９  垂下片
１０  連通孔
１１  連結具
１４  室内側係合部
１５  室外側係合部
１６  連結具通過用隙間
【図１】
2007224618.tif 000003
【図２】
2007224618.tif 000004
【図３】
2007224618.tif 000005